(57)【要約】【課題】  特許文献１に開示された肩紐付き前当布は、該前当布の上部縁の左右端に肩紐の一端が固着されており、他端はブラジャー等の背部に取り付けられる構成となっている。従って、この肩紐付き前当布をストラップレス（肩紐なし）のブラジャーに装着した場合には、肩紐が装着中に肩よりズレたりズレ落ちるという問題があった。また、紐付きブラジャーに装着した場合は、ブラジャーの肩紐と肩紐付き前当布の肩紐の２本がそれぞれ両肩に掛かるので、装着時に違和感を覚えるだけでなく依然として肩紐が装着中に肩よりズレたりズレ落ちるという問題があった。【解決手段】  本発明は、ブラジャーやボディスーツ等に設けられた左右の乳房受けカップ部の一部又は全部を覆う胸当部と、該胸当部に一端が固定され他端が左右の乳房受けカップ部の上縁又は上縁に設けられた肩紐に着脱自在に取り付けられる２個の第一係止手段からなる装飾胸当てとしている。【選択図】図２
2013057156.tif 000002
【特許請求の範囲】
【請求項１】
左右の乳房受けカップ部の一部又は全部を覆う胸当部と、該胸当部に一端が固定され他端が左右の乳房受けカップ部の上縁又は上縁に設けられた肩紐に着脱自在に取り付けられる第一係止手段からなる装飾胸当て。
【請求項２】
前記第一係止手段は両方、ゴム製で２ｃｍ以上３ｃｍ以下の伸び調節可能であることを特徴とする請求項１記載の装飾胸当て。
【請求項３】
前記第一係止手段は、前記胸当部に着脱自在に取り付けられていることを特徴とする請求項１，２記載の装飾胸当て。
【発明の詳細な説明】
【技術分野】
【０００１】  本発明は、左右の乳房受けカップ部を有する女性用被服（例えば、ブラジャー、ボディスーツなど）の前面に装着する装飾胸当てに関するものである。
【背景技術】
【０００２】  従来、胸元が大きく開いた被服（例えば、スーツなど）を着用するときには、女性は胸元を隠すために下着（例えば、ブラジャー、ボディスーツなど）とスーツとの間にインナー（例えば、キャミソールなど）を着用することが多い。しかしながら、重ね着をすると窮屈であり、特に気候の温暖期においては発汗等により不快感がある。そこで、キャミソールなどのインナーを着用しなくても胸元を隠すことができる簡易な被服が求められている。これを解決するために、左右の乳房受けカップ部を有する女性被服に取り付けられる左右の肩紐と、前記カップ部を覆う布片から構成されており、前記布片上部の左右と端部が左右の肩紐のカップ部側先端部にそれぞれ取り付けられていることを特徴とする肩ひも付き前当布が開示されている（例えば、特許文献１参照。）
【先行技術文献】
【特許文献】
【０００３】
【特許文献１】特開２０００−１７５０２号公報
【発明の概要】
【発明が解決しようとする課題】
【０００４】  しかしながら、特許文献１に開示された肩紐付き前当布は、該前当布の上部縁の左右端に肩紐の一端が固着されており、他端はブラジャー等の背部に取り付けられる構成となっている。従って、この肩紐付き前当布をストラップレス（肩紐なし）のブラジャーに装着した場合には、肩紐が装着中に肩よりズレたりズレ落ちるという問題があった。また、紐付きブラジャーに装着した場合は、ブラジャーの肩紐と肩紐付き前当布の肩紐の２本がそれぞれ両肩に掛かるので、装着時に違和感を覚えるだけでなく依然として肩紐が装着中に肩よりズレたりズレ落ちるという問題があった。
【課題を解決するための手段】
【０００５】  左右の乳房受けカップ部の一部又は全部を覆う胸当部と、該胸当部に一端が固定され他端が左右の乳房受けカップ部の上縁又は上縁に設けられた肩紐に着脱自在に取り付けられる第一係止手段からなる装飾胸当て。
以上の構成よりなる装飾胸元隠しパーツ。
【発明の効果】
【０００６】  本発明は、このような課題を解決するためになされたもので、あらゆるアウターとブラジャーやボディスーツ等の下着の胸元に装着するという簡単な手段で、キャミソール等のインナーを着用することなく胸元を隠すことができると共に、肩紐がズレない装飾胸当てを提供することを目的としている。【０００７】  重ね着をせずに胸元を隠すことができ、しかも簡単におしゃれを楽しめ、さらにブラジャー等の肩紐がずれない効果もある。
【図面の簡単な説明】
【０００８】
【図１】本発明の装飾胸当ての実施形態を示す背面図である。
【図２】図１に示す装飾胸当てをブラジャーに装着した状態を示す背面図である。
【図３】図１に示す装飾胸当ての装着状態を示す正面図である。
【図４】本発明を着用した正面図である。
【発明を実施するための形態】
【０００９】  以下、本発明の実施形態を図面に基づいて詳細に説明するが、本発明はこれらに限定されるものではなく、要旨を変更しない範囲において適宜変更が可能なものである。図１は本発明の装飾胸当ての実施形態を示す背面図、図２は図１に示す装飾胸当てをブラジャーに装着した状態を示す背面図、図３は図１に示す装飾胸当ての装着状態を示す正面図である。図１〜図２において、装飾胸当ては、ブラジャーやボディスーツ等に設けられた左右の乳房受けカップ部の少なくとも一部を覆うように形成された胸当部１と、前記胸当部１の上縁近傍に取り付けられた２個の第一係止手段２および３より構成されている。
【００１０】  胸当部１は、図１〜図２に示すように、上辺１１、底辺１４、右側辺１３及び左側辺１２の四辺で囲まれる略四辺形に形成されており、その大きさは上着を着用してボタンを掛けた状態で、少なくとも胸元が露出する部分及びその周辺を覆う大きさとしている。上辺１１は、直線状、円弧状或いは折曲線状であり、上辺１１には必要に応じてレース地１５、フリル等を設けてデザイン性を向上させている。上辺１１の両端近傍には、一端が胸当部１に固定され、他端がブラジャーの左右の乳房受けカップ部の上縁に設けられた肩紐４１に、長さ調節可能に取り付けられる、２個の第一係止手段である係止帯２および３が取り付けられている。つまり、ブラジャーなどの下着のデザインやサイズに合わせて、最適な状態で係止することができる。
【００１１】  前記係止帯２，３の一端は、胸当部１に縫着されているが、着脱可能な状態で取り付けることも可能である。前記係止帯２，３の他端は、ブラジャーの肩紐４１を挟んで保持する保持片２１、或いは乳房受けカップ部の連結部４２を挟んで保持する保持片３１が取り付けられている。該保持片２１，３１の使用例としては、クリップ、スナップ、ホック、ボタン及びボタン穴、面ファスナー、紐等がある。また、前記第一係止手段２が、長さ調節可能なように形成されている。このような構成としているため、肩紐付きブラジャー等の前面に本発明による装飾胸当てを装着する場合、左右の肩紐４１がズレたりズレ落ちたりすることを防止できる。また、第一係止手段である係止帯３も長さ調節が可能であるから、ブラジャー等の下着のデザインやサイズに合わせて、最適な状態で係止することができる。なお、ストラップレス（肩紐なし）のブラジャーに本発明の装飾胸当てを装着する場合には、前記係止帯２の保持片２１をブラジャーの乳房受けカップ部の上縁に係止する（図４）。
【００１２】  胸当部１は、一般的にインナーとして用いられている布地を用いるが、使用例としては、綿、麻、毛、絹などの天然繊維、レーヨン、キュプラ、アセテート、プロミックス、ナイロン、ポリエステル、ビニロン、ポリウレタン、ポリクラーレなどの化学繊維、或いはこれらを組み合わせた合成繊維を用いることができる。胸当部１は、上着５との配色、素材、デザインが重要となるが、配色、素材、デザインの異なる胸当部１を複数作成することにより、カジュアル、フォーマル、ゴージャス、或いは四季にあわせて様々なコーディネートを楽しむことができる。
【００１３】  また、前記第一係止手段の系止帯２と系止帯３のいずれか又は両方が、長さ調節可能なように形成されているため、ブラジャーなどの下着のデザインやサイズに合わせて、最適な状態で係止することができる。
【符号の説明】
【００１４】１、胸当部
２、３、第一係止手段（係止帯）
４、ブラジャー
５、上着
１１、上辺
１２、左側辺
１３、右側辺
１４、底辺
１５、レース地
２１、３１、保持片
４１、ブラジャーの肩紐
４２、乳房受けカップ部の連結部
【図１】
2013057156.tif 000003
【図２】
2013057156.tif 000004
【図３】
2013057156.tif 000005
【図４】
2013057156.tif 000006